(57)【特許請求の範囲】
【請求項１】
プロセッサと、
前記プロセッサに作動可能に連結するメモリと、
前記プロセッサに作動可能に連結する第１の平面状ディスプレイを備える第１の表示部と、
第２の平面状ディスプレイを備える第２の表示部と、
前記第１の平面状ディスプレイおよび前記第２の平面状ディスプレイを、積層配置と前記プロセッサに作動可能に連結する平面状拡張ディスプレイを構成する隣接配置との間で選択的に移行させる機構と、
を備え、
前記機構は、
前記第１の表示部に作動可能に連結するレールガイドと、
前記第２の表示部に作動可能に連結する２つのピボットアームを備えた連結部材を運ぶレールと、を備え、
前記レールは、前記レールガイドに沿って移動可能であり、前記連結部材は前記レールに沿って前記第２の平面状ディスプレイの移動方向に移動可能である、システム。
【請求項２】
前記第２の表示部はインタフェースを備える、請求項１に記載のシステム。
【請求項３】
前記インタフェースは有線インタフェースを備え、
前記機構は、前記インタフェースの係合および係合解除を選択的に行う、請求項２に記載のシステム。      
【請求項４】
前記インタフェースは無線インタフェースを備える、請求項２に記載のシステム。
【請求項５】
レールカバーをさらに備える、請求項１に記載のシステム。      
【請求項６】
少なくとも２つのレールと、少なくとも２つのレールガイドとをさらに備える、請求項１に記載のシステム。
【請求項７】
前記２つのピボットアームを少なくとも２組備える、請求項１に記載のシステム。
【請求項８】
前記第１の平面状ディスプレイはタッチ回路機構を備え、
前記第２の平面状ディスプレイはタッチ回路機構を備える、
請求項１に記載のシステム。      
【請求項９】
補助的平面状ディスプレイを備えるユニットと、
プロセッサと前記プロセッサに作動可能に連結された主平面状ディスプレイとを備えるデバイスに前記ユニットを連結し、かつ、前記補助的平面状ディスプレイおよび前記主平面状ディスプレイを、積層配置と前記プロセッサに作動可能に連結する平面状拡張ディスプレイを構成する隣接配置との間で選択的に移行させる機構と、
を備え、
前記機構は、
レールガイドと、
前記ユニットを前記デバイスに作動可能に連結する２つのピボットアームを備えた連結部材を運ぶレールと、を備え、
前記レールは、前記レールガイドに沿って移動可能であり、前記連結部材は前記レールに沿って前記補助的平面状ディスプレイの移動方向に移動可能である、アセンブリ。
【請求項１０】
前記ユニットはインタフェースを備える、請求項９に記載のアセンブリ。
【請求項１１】
前記インタフェースは有線インタフェースを備え、
前記機構は、前記インタフェースの係合および係合解除を選択的に行う、
請求項１０に記載のアセンブリ。
【請求項１２】
前記インタフェースは無線インタフェースを備える、請求項１０に記載のアセンブリ。
【請求項１３】
前記２つのピボットアームを少なくとも２組備える、請求項９に記載のアセンブリ。
【請求項１４】
プロセッサと、
前記プロセッサに作動可能に連結するメモリと、
前記プロセッサに作動可能に連結する第１の平面状ディスプレイを備える第１の表示部と、
第２の平面状ディスプレイを備える第２の表示部と、
前記第１の表示部に作動可能に連結されたレールガイドと、
前記レールガイドに沿って移動可能なレールと、
前記レールに沿って前記第２の平面状ディスプレイの移動方向に移動可能な連結部材と、
を備え、
前記連結部材は、
前記第２の表示部に作動可能に連結するピボットアームを備え、
前記ピボットアームを介して、前記第１の平面状ディスプレイおよび前記第２の平面状ディスプレイは、積層配置と前記プロセッサに作動可能に連結する平面状拡張ディスプレイを構成する隣接配置との間で移行する、システム。
【発明の詳細な説明】
【技術分野】
【０００１】
本開示は、概してディスプレイに関する。
【背景技術】
【０００２】
様々な機器やシステム等は、サイズが固定されたディスプレイを備える。例えば、電話機はサイズが固定されたディスプレイを備え、タブレットはサイズが固定された別のディスプレイを備え、ノートパソコンはサイズが固定された別のディスプレイを備える。一例として、ユーザは、例えば、可搬性や多様な作業の遂行といった１または複数の要因に応じてサイズ設定された、サイズの異なるディスプレイを有する様々な機器を所有することがある。例えば、  電話のディスプレイはタブレットのディスプレイより小さくてよく、タブレットのディスプレイはノートパソコンのディスプレイより小さくてよい。実行する作業に応じて、ユーザは、１つの機器またはサイズの異なるディスプレイを有する複数の機器を持ち運ぶことを選択する場合がある。
【発明の概要】
【発明が解決しようとする課題】
【０００３】
本発明は、上記に鑑みてなされたものであり、異なるサイズのディスプレイを提供することを目的とする。
【課題を解決するための手段】
【０００４】
システムは、プロセッサと、該プロセッサに作動可能に連結されたメモリと、該プロセッサに作動可能に連結された第１の平面状ディスプレイを有する第１の表示部と、第２の平面状ディスプレイを有する第２の表示部と、該第１の平面状ディスプレイおよび該第２の平面状ディスプレイを、積層配置と該プロセッサに作動可能に連結された平面状拡張ディスプレイを構成する隣接配置との間で選択的に移行させる機構と、備えることにしてもよい。様々なその他の装置、システム、方法等も開示される。
【０００５】
以下に説明する実施形態の特徴および利点は、以下の説明を添付図面と共に参照すれば、より容易に理解することができるであろう。
【図面の簡単な説明】
【０００６】
【図１】図１は、システムの一例を示す一連の図である。
【図２】図２は、構成要素の様々な例を示す一連の図である。
【図３】図３は、システムの一例を示す一連の図である。
【図４】図４は、システムの一例を示す一連の図である。
【図５】図５は、システムの一例を示す一連の図である。
【図６】図６は、システムの一例を示す一連の図である。
【図７】図７は、システムの一例を示す一連の図である。
【図８】図８は、ある方法の一例を示す図である。
【図９】図９は、１または複数のプロセッサを含むシステムの一例を示す図である。
【発明を実施するための形態】
【０００７】
以下の説明には、説明する実施形態を実行するための、現在検討されている最良の態様を含む。この説明は、限定する意味に解釈されるべきではなく、様々な実施形態における一般的な原理を説明することを目的とする。発明の範囲は、添付の請求項を参照することにより確定すべきである。
【０００８】
図１は、システム(system)１００の一例を示す。システム１００は、平面状ディスプレイ(planar  display)１１２を有する第１の表示部(first  display  unit)１１０と、平面状ディスプレイ１２２を有する第２の表示部(second  display  unit)１２０と、第１の表示部１１０および第２の表示部１２０を積層配置(stacked  orientation)１０１と隣接配置(side-by-side  orientation)１０５の間で選択的に移行させる機構(mechanism)１４０とを備える。隣接配置１０５により、平面状拡張ディスプレイ(planar  extended  display)１９０が（例えば、平面状ディスプレイ１１２および平面状ディスプレイ１２２によって）構成される。図１は、積層配置１０１および隣接配置１０５を、移行中配置(transitional  orientation)１０３とともに図示する。配置１０３および１０５は、第１の表示部１１０および第２の表示部１２０の相対的な動きを示す大きな矢印とともに図示されている。例えば、表示部１１０および１２０の少なくとも一方を移動させることで、一方の配置から他方の配置への移行がなされる。
【０００９】
一例として、機構１４０は、１または複数のピボットアーム(pivot  arm)１６０−１および１６０−２を介して第１の表示部１１０に作動可能に連結された、レール(rail)１５０を備えてもよい。一例として、機構１４０はガイド(guide)１７０を備えてもよく、この構成において、例えば、レール１５０はガイド１７０内を平行移動してもよい（例えば、それによりガイド１７０に案内される）。一例として、機構は、枢軸回転により第１の平面状ディスプレイを第２の平面状ディスプレイに対して相対的に移動させて平面状拡張ディスプレイを形成する、１または複数のピボットアームまたは連結部材を備えてもよい。
【００１０】
一例として、第１の表示部１１０は、プロセッサ(processor)１１１と、例えばプロセッサ１１１に作動可能に連結されたメモリ(memory)１１３とを備えてもよい。そのような例では、プロセッサ１１１は、例えば積層配置１０１においては、第１の表示部１１０の平面状ディスプレイ１１２に情報を提供し、例えば隣接配置１０５においては、例えば平面状拡張ディスプレイ１９０（例えば、第１の表示部１１０の平面状ディスプレイ１１２および第２の表示部１２０のディスプレイ１２２で構成される）に情報を提供してもよい。一例として、第２の表示部１２０は、プロセッサ(processor)１２１と、例えばプロセッサ１２１に作動可能に連結されたメモリ(memory)１２３とを備えてもよい。一例として、第２の表示部１２０は、第１の表示部１１０からの情報を受け取る回路機構であって、その情報を第２の表示部１２０の平面状ディスプレイ１２２に提供するための回路機構を備えてもよい。
【００１１】
一例として、システム１００は、組み立てられていても分解されていてもよい。例えば、機構１４０は、任意選択により、第１の表示部１１０に対して取り付けおよび取り外しができるように構成されてもよい。一例として、ユーザは、第１の表示部１１０を所有しており、拡張ディスプレイを所望し、第２の表示部１２０とともに機構１４０を入手し、機構１４０および第２の表示部１２０を第１の表示部１１０に取り付けてシステム１００を構成してもよい。
【００１２】
一例として、システム１００は、表示部１１０および１２０の一方から表示部１１０および１２０の他方への情報伝達のための１または複数のインタフェースを備えてもよい。一例として、システム１００は、表示部１１０と１２０の間の情報伝達のための１または複数のインタフェースを備えてもよい。一例として、インタフェースは無線インタフェースであってもよい。一例として、インタフェースは有線インタフェースであってもよい。一例として、隣接配置１０５において、インタフェースは作動可能であるか実行されているかの少なくとも一方であってよい。一例として、隣接配置１０５への移行は、インタフェース回路機構が、例えば、平面状拡張ディスプレイ１９０に（例えば、平面状ディスプレイ１１２および平面状ディスプレイ１２２の両方に、任意選択により同時に）情報が提供されるようにするトリガとなってもよい。
【００１３】
一例として、第１の表示部１１０は、１個または複数のバッテリを備えてもよい。一例として、第２の表示部１２０は、１個または複数のバッテリ(battery)を備えてもよい。一例として、第１の表示部１１０および第２の表示部１２０は、それぞれが１個のバッテリ（または複数のバッテリ等）を備えてもよい。一例として、第２の表示部１２０は、少なくとも第２の表示部１２０の平面状ディスプレイ１２２に電力を供給するように構成された１個のバッテリを備えてもよい。一例として、平面状拡張ディスプレイ１９０は、第１の表示部１１０の平面状ディスプレイ１１２よりも電力消費量が大きくてもよい。そのような例では、第２の表示部１２０がバッテリを備えているので、そのバッテリで供給する電力が、平面状拡張ディスプレイ１９０への電力供給の少なくとも一部に使用されてもよい。
【００１４】
図２は、例えば図１のシステム１００の一部（例えば、機構１４０の一部等）であるような構成要素の様々な例を示す。図２では、レール１５０、ピボットアーム１６０−１および１６０−２、ガイド１７０等の構成要素の例を斜視図により示す。
【００１５】
図２では、ピボットアーム１６０−１および１６０−２は枢軸(pivot  axes)を備える（例えば点線を参照）。一例として、上部枢軸は第１の表示部（例えば表示部１１０）と共働してもよく、下部枢軸はレール１５０のスロット(slot)１５５内に乗る連結部材(linkage)１６５と共働してもよい。一例として、レール１５０はガイド１７０内に乗ってもよく、連結部材１６５はレール１５０のスロット１５５内に乗ってもよい。一例として、ガイド１７０は、レール１５０のポスト(post)１５７を収容するスロット１７２を備えてもよく、レール１５０においては、ポスト１５７がスロット１７２内を移動し、ガイド１７０に対して相対的にレールの平行移動を停止させる止め具として機能してもよい。一例として、連結部材１６５が、その後、レール１５０のスロット１５５を移動してから、ユニットがピボットアーム１６０−１および１６０−２を介して枢軸回転されて、例えば、該ユニットと、ガイド１７０に作動可能に連結された別のユニットの間で拡張ディスプレイが構成されるように、該ユニットを位置決めするようにしてもよい。
【００１６】
図２の例に示すように、ピボットアーム１６０−１および１６０−２は、レール１５０に対してユニットが内側に乗るような形を持つ。特に、ピボットアーム１６０−１および１６０−２は、上部枢軸および下部枢軸が、例えば連結部材１６５の長手方向に沿って、実質的に互いに位置合わせされるように下方向に枢軸回転してもよい（例えば図１の配置１０５を参照）。一例として、ガイドの一部は、ピボットアームがガイドを通過するまでは、ピボットアームが下方向に枢軸回転するのを阻止してもよい（例えば図１の配置１０３を参照）。一例として、ピボットアームが、レールの外側に沿って配置される部分およびレールの内側に沿って配置される部分を備えてもよく、この構成において、例えば、ピボットアームが該レールのスロットを移動する連結部材に連結されてもよい。
【００１７】
一例として、連結部材と１または複数のピボットアームが、例えば、ユニットを運搬して１または複数の配置に位置決めするために該ユニットに作動可能に連結する運搬台(carriage)として参照されてもよい。一例として、運搬台が、レールに対して移動してもよい（例えば、レール内やレール上に乗る）。一例として、レールが、レールガイドに支持されてもよい。一例として、機構は入れ子式の機構(telescoping  mechanism)であってよい。一例として、機構はカバーを備えてもよく、該カバーは、例えば、あるユニットの少なくとも一部分を覆ってもよい。一例として、機構は、例えば第１の表示部と第２の表示部とを作動可能に連結するにあたり、分解されてから再び組み立てられてもよい。一例として、機構は、１または複数の共働機能を介して表示部に連結してもよい。例えば、心棒(axle)により表示部がピボットアームに連結されてもよく、この構成において、該心棒は表示部に設けられる開口(opening)で受け止められてもよい。一例として、ガイドは、１または複数の共働機能（例えば、ピン(pin)および開口、等）を介して表示部に連結してもよい。一例として、表示部は、フレームに嵌合(fit  into)してもよく、この構成において、例えば、ガイドが該フレームの一部であってもよい（例えば、さらに、フレームが機構の一部であってもよい）。一例として、１または複数のリップ(lip)または圧入機構(press-fit  mechanism)等が、表示部をフレーム内に保持するように機能してもよい。（例えば、任意選択的にユーザによるフレームと表示部との組立て(assembly)と分解(disassembly)ができるようにする）。
【００１８】
一例として、機構は、例えばコネクタ（例えば、電源用コネクタ、通信用コネクタ、電源通信両用コネクタ等）を位置決めするための、開口を備えてもよい。例えば、組立て済みの状態では、コネクタをユニットに接続するために、開口はレール、レールガイド等に存在してもよい。一例として、ユニットは機構の一部分により運搬されてもよく、この構成において、例えば、該ユニットのコネクタは（例えば、積層配置においても隣接配置においても）該機構により妨げられないようにしてよい。例えば、ユニットは、そのコネクタを介してコードに連結されることで（例えば、コードのコネクタの挿入がレールのスロットや連結部材の開口等により可能になることで）１または複数のピボットアームに連結されてもよい。
【００１９】
図３は、平面状ディスプレイ(planar  display)２１２を有する第１の表示部(first  display  unit)２１０、平面状ディスプレイ(planar  display)２２２を有する第２の表示部(second  display  unit)２２０、および機構(mechanism)２４０を備えるシステム(system)２００の一例を示す。機構２４０は、第１の表示部２１０および第２の表示部２２０を、積層配置(stacked  orientation)２０１と隣接配置(side-by-side  orientation)２０５の間で選択的に移行させる。隣接配置２０５により、平面状拡張ディスプレイ(planar  extended  display)２９０が（例えば平面状ディスプレイ２１２および平面状ディスプレイ２２２で）構成される。図３は、積層配置２０１および隣接配置２０５を、移行中配置(transitional  orientation)２０３ともに図示する。配置２０３および２０５は、第１の表示部２１０と第２の表示部２２０の相対的な動きを示す大きな矢印とともに図示されている。例えば、表示部２１０および２２０の少なくとも一方を移動させることで、一方の配置から他方の配置への移行がなされる。
【００２０】
一例として、第１の表示部２１０は、プロセッサ(processor)２１１と、例えば、プロセッサ２１１に作動可能に連結されたメモリ(memory)２１３とを備えてもよい。そのような例では、プロセッサ２１１は、例えば積層配置２０１においては、第１の表示部２１０の平面状ディスプレイ２１２に情報を提供し、例えば隣接配置２０５においては、平面状拡張ディスプレイ２９０（例えば、第１の表示部２１０の平面状ディスプレイ２１２および第２の表示部２２０のディスプレイ２２２で構成される）に情報を提供してよい。一例として、第２の表示部２２０は、プロセッサ(processor)２２１と、例えば、プロセッサ２２１に作動可能に連結されたメモリ(memory)２２３とを備えてもよい。一例として、第２の表示部２２０は、第１の表示部２１０からの情報を受け取る回路機構であって、そのような情報を第２の表示部２２０の平面状ディスプレイ２２２に提供するための回路機構を備えてもよい。
【００２１】
一例として、システム２００は、組み立てられていても分解されていてもよい。例えば、機構２４０は、任意選択により、第１の表示部２１０に対して取り付けおよび取り外しができるように構成されてもよい。一例として、ユーザは、第１の表示部２１０を所有しており、拡張ディスプレイを所望し、機構２４０を第２の表示部２２０とともに入手し、機構２４０および第２の表示部２２０を第１の表示部２１０に取り付けてシステム２００を構成してもよい。
【００２２】
一例として、システム２００は、表示部２１０および２２０の一方から表示部２１０および２２０の他方への情報伝達のための１または複数のインタフェースを備えてもよい。一例として、システム２００は、表示部２１０と２２０の間の情報伝達のための１または複数のインタフェースを備えてもよい。一例として、インタフェースは無線インタフェースであってもよい。一例として、インタフェースは有線インタフェースであってもよい。一例として、隣接配置２０５において、インタフェースは作動可能であるか実行されているかの少なくとも一方であってよい。一例として、隣接配置２０５への移行は、インタフェース回路機構が、例えば、平面状拡張ディスプレイ２９０に（例えば、平面状ディスプレイ２１２および平面状ディスプレイ２２２の両方に、任意選択により同時に）情報が提供されるようにするトリガとなってもよい。
【００２３】
一例として、第１の表示部２１０は、１個のバッテリまたは複数のバッテリを備えてもよい。一例として、第２の表示部２２０は、１個のバッテリまたは複数のバッテリを備えてもよい。一例として、第１の表示部２１０および第２の表示部２２０は、それぞれが１個のバッテリ（例えば、または複数のバッテリ）を備えてもよい。一例として、第２の表示部２２０は、少なくとも第２の表示部２２０の平面状ディスプレイ２２２に電力を供給するように構成された１個のバッテリを備えてもよい。一例として、平面状拡張ディスプレイ２９０は、第１の表示部２１０の平面状ディスプレイ２１２よりも電力消費量が大きくてもよい。そのような例では、第２の表示部２２０がバッテリを備えているので、そのバッテリで供給する電力が、平面状拡張ディスプレイ２９０への電力供給の少なくとも一部に使用されてもよい。
【００２４】
図４は、図３のシステム２００の機構２４０の一例を様々な位置から見た図である。一例として、機構２４０は、１または複数のピボットアーム(pivot  arm)２６０−１および２６０−２を介して第１の表示部２１０に作動可能に連結されたレール(rail)２５０を備えてもよい。一例として、機構２４０はガイド(guide)２７０を備えてもよく、この構成において、例えば、レール２５０はガイド２７０内を平行移動してもよい（例えば、それによりガイド２７０に案内される）。一例として、機構は、枢軸回転により第１の平面状ディスプレイを第２の平面状ディスプレイに対して相対的に移動させて平面状拡張ディスプレイを形成する、１または複数のピボットアームまたは連結部材を備えてもよい。
【００２５】
図４の例では、ピボットアーム２６０−１および２６０−２は枢軸(pivot  axle)２６１−１、２６１−２、２６３−１、および２６３−２を備える。枢軸２６１−１および２６１−２は第１の表示部２１０と共働してもよく、枢軸(pivot  axel)２６３−１および２６３−２はレール２５０のスロット(slot)２５５内に乗る連結部材(linkage)２６５と共働してもよい。一例として、レール２５０はガイド２７０内に乗ってもよく、連結部材２６５はレール２５０のスロット２５５内に乗ってもよい。一例として、第２の表示部２２０は、機構２４０の１または複数の構成要素を収容する１または複数の特徴部（例えば凹型特徴部（(recessed  feature)２７２を参照）を備えてもよい。一例として、第１の表示部２１０は、機構２４０を介して第２の表示部２２０に対して平行移動し枢軸回転することで、拡張ディスプレイ２９０を構成する。一例として、表示部は、例えば機構２４０等の機構を収容する特徴部を備えてもよい。一例として、機構は、例えば第１の表示部と第２の表示部とを作動可能に連結するにあたり、分解されてから再び組み立てられてもよい。
【００２６】
一例として、システムは１または複数のカバーを備えてもよい。例えば、図４のシステム２００は、機構２４０の一部分を覆うカバー(cover)２８０を備えるものとして示されている。例えば、カバーは、１または複数のピボットアームを少なくとも部分的に覆ってもよい。一例として、機構は、一方の側面または複数の側面に設けられてよい。例えば、機構２４０は片側機構であってもよく、複製されて両側機構とされてもよい。一例として、機構は、ある側面において、別の側面における１または複数の特徴部とは異なる１または複数の特徴部を備えてもよい。例えば、ある側面に設けられた機構が、例えば、あるユニットから別のユニットへの情報伝達（例えば、該両ユニットの配置に依存した、ある配置から別の配置への移行等）を可能にしたり不可能にしたりするスイッチング回路機構を提供してもよい。
【００２７】
一例として、機構は、入れ子式のピボットアーム(telescoping  pivot  arm)を備えてもよい。例えば、ピボットアームの長さは、システムを積層配置と隣接配置の間で移行させて拡張ディスプレイを構成するために伸長可能かつ収縮可能であってもよい。例えば、機構はピボットアームを備えてよく、該ピボットアームは、あるユニットが別のユニットに対して干渉しないような間隔を生じさせるために枢軸回転して伸長してもよく、さらにその後、該両ユニットを横並びに位置させるように収縮して拡張ディスプレイを構成してもよい。一例として、ピボットアームは、ピボットアームを心棒等の別の構成要素を基準として相対的に案内することができるガイドを備えてもよい。例えば、ピボットアームは、ガイド内に乗る心棒を介して接続されながらガイドを介して拡張されてもよい。そのような例では、ピボットアームは、例えばユニット同士を横並びに(side-by-side)位置させて拡張ディスプレイを構成するために収縮させてもよい。
【００２８】
一例として、システムは、プロセッサと、該プロセッサに作動可能に連結されたメモリと、該プロセッサに作動可能に連結された第１の表示部と、第２の表示部と、該第１の表示部および該第２の表示部を積層配置と隣接配置の間で選択的に移行させる機構であって、該プロセッサに作動可能に連結された平面状拡張ディスプレイが該隣接配置により構成される機構とを備えてもよい。
【００２９】
一例として、システムは、プロセッサと、該プロセッサに作動可能に連結されたメモリと、該プロセッサに作動可能に連結された第１の表示部と、第２の表示部と、該第１の表示部に作動可能に連結されたレールと、該第２の表示部を該レールに作動可能に連結するピボットアームとを備えることができる。
【００３０】
一例として、システムは、プロセッサと、該プロセッサに作動可能に連結されたメモリと、該プロセッサに作動可能に連結された第１の表示部と、第２の表示部と、該第１の表示部に作動可能に連結されるとともに、該第２の表示部に作動可能に連結されたピボットアームとを備えることができる。
【００３１】
図５は、システム(system)５００の一例を示す。システム５００は、ディスプレイ(display)５１２を有する携帯機器ユニット(mobile  device  unit)５１０を備えてよく、ディスプレイ５１２は、情報の入力（例えば、キーパッドや制御グラフィックス等を介した入力）および情報の出力のためのタッチ式ディスプレイ（例えばタッチスクリーンディスプレイ）であってもよい。一例として、１２８０×７２０ピクセル程度の解像度であるか、３００ピクセル／インチ程度の密度であるディスプレイを想定されたい。ここで、１または複数のディスプレイは、その他の解像度や密度を有してもよい。
【００３２】
図５の例に示すように、システム５００はさらに別のユニット(another  unit)５２０を備え、ユニット５２０は、例えばカメラ(camera)５２７を備えてもよい。ユニット５２０はさらにディスプレイを備え、該ディスプレイは、情報の入力（例えば、キーパッドや制御グラフィックス等を介した入力）および情報の出力のためのタッチ式ディスプレイ（例えばタッチスクリーンディスプレイ）であってもよい。一例として、１２８０×７２０ピクセル程度の解像度であるか、３００ピクセル／インチ程度の密度であるディスプレイを想定されたい。ここで、１または複数のディスプレイは、その他の解像度や密度を有してもよい。一例として、ディスプレイは１または複数の発光ダイオード（Light-Emitting  Diode：ＬＥＤ）を備えてもよい。一例として、ディスプレイは、ＬＥＤバックライト式ディスプレイであってもよく、例えばＬＥＤバックライト式液晶表示ディスプレイ（Liquid  Crystal  Display:ＬＣＤ）を想定されたい。一例として、システム５００はユニット５１０および５２０を積層配置から隣接配置へと移行させる機構を備えてもよい。
【００３３】
一例として、システム５００は、プロセッサ(processor)５０１、プロセッサ５０１に作動可能に連結されたメモリ(memory)５０３、プロセッサ５０１に作動可能に連結されたマイクロフォン(microphone)５０６、プロセッサ５０１に作動可能に連結されたカメラ５０７(camera)、プロセッサ５０１に作動可能に連結されたバイブレータ(vibrator)５０８、プロセッサ５０１に作動可能に連結されたスピーカ(speaker)５０９等の様々な構成要素を備えることができる。一例として、１または複数の構成要素がユニット５１０に含まれてよく、１または複数の構成要素がユニット５２０に含まれてもよい。
【００３４】
図５の例に示すように、ユニット５１０は、プロセッサ(processor)５１１と、メモリ(memory)５１３と、バッテリ(battery)５１５と、マイクロフォン(microphone)５１６と、カメラ(camera)５１７と、バイブレータ(vibrator)５１８と、スピーカ(speaker)５１９とを備えてもよい。一例として、ユニット５１０は、スマートフォン等の電話機と考えてもよい。一例として、ユニット５１０は無線通信回路機構（wireless  communication  circuitry:例えば、３Ｇ（Third  Generation）、４Ｇ（Fourth  Generation）、ＬＴＥ（Long-Term  Evolution）、ＷｉＦｉ（Wireless  Fidelity）、Bluetooth（登録商標）等）)を有してもよい。一例として、ユニット５１０は有線通信回路機構（wired  communication  circuitry:例えば、ＵＳＢ（Universal  Serial  Bus）、ＬＡＮ（Local  Area  Network）、ＤＳＬ（Digital  Subscriber  Line）等）を有してもよい。
【００３５】
一例として、ユニット５１０および５２０は有線接続用コネクタや無線接続用コネクタを有してもよい。一例として、あるユニットから別のユニットに情報が送信されてもよい。一例として、あるユニットから別のユニットに電力が送信されてもよい。一例として、あるユニットから別のユニットに情報および電力が送信されてもよい。一例として、電力や情報の送信は、システム５００の配置に依存して発生してよい。例えば、積層配置から隣接配置への移行があった場合、１回または複数回の電力や情報の送信が可能になるようにしてもよい。一例として、ユニット５２０は表示部かつ電源用予備ユニットであってよい。一例として、ユニット５２０は表示部かつカメラ部であってよい。一例として、ユニット５２０が後ろ向きカメラを有する場合、システム５００における回路機構が、カメラ（例えばカメラ５２７）をユニット５１０のディスプレイ５１２に作動可能に連結してもよい。そのような例では、ユーザは、撮像のために積層配置にしたシステム５００を向けてもよく、ユニット５２０のカメラの視野内の画像がユニット５１０のディスプレイ５１２に表示されてもよい。
【００３６】
一例として、ユニット５１０および５２０がともにカメラを有してもよく、その構成において、例えば、ユニット５１０および５２０が積層配置にある場合はユニット５１０の後ろ向きカメラが使用不能にされてもよく、積層配置ではユニット５２０の後ろ向きカメラ５２７が使用可能になってもよい。一例として、隣接配置では、ユニット５１０および５２０のそれぞれが後ろ向きカメラを有する場合、任意選択により立体画像（例えば、静止画、動画等）を撮影するために、該カメラの１台または両方が使用可能にされてよい。一例として、ユニット５１０および５２０のそれぞれがマイクロフォンを有する場合、任意選択により、ステレオの音声記録が使用可能にされてもよい（例えば隣接配置において）。
【００３７】
上述の通り、ユニットはバッテリを備えてもよい。一例として、システムは、それぞれのユニットが１個または複数のバッテリを備える２台のユニットを備えてもよい。
【００３８】
一例として、ユニット（例えばユニット５１０やユニット５２０）は、バッテリ室と、ディスプレイ用グラフィックス回路機構（例えば、任意選択により、タッチおよびジェスチャー用の回路機構を備えるもの）と、カメラ（例えば、静止画像、動画等を撮影するもの）と、任意選択によりオートフォーカス回路機構と、任意選択により写真撮影やビデオ撮影時に光るフラッシュと、ＳＩＭ（Subscriber  Identity  Module）スロットと、基本プロセッサと、オーディオ回路機構（例えば、着信音等の通知のため等）と、電力管理回路機構と、動作処理回路機構（例えば、加速度計やジャイロスコープ）と、モデム回路機構と、圧力センサ回路機構と、マルチバンド電力増幅回路機構と、メモリ（例えばＳＤＲＡＭ（Synchronous  Dynamic  Random  Access  Memory）等）と、無線ＬＡＮ回路機構と、スマートカード回路機構と、送信機回路機構と、周辺光感知回路機構と、ＧＰＳ（Global  Positioning  System）回路機構とを備えてもよい。一例として、ユニットは、例えば、電話番号や連絡先名称等の入力機能として、音声認識回路機構（例えば、会話認識回路機構）を備えてもよい。
【００３９】
図６は、ユニット(unit)６１０および６２０を備えるシステム(system)６００の一例を示す。図示の通り、ユニット６１０および６２０は、インタフェース(interface)６１５および６２５を備え、これらインタフェースは作動可能に連結されて情報送信や電力送信のためのインタフェースを構成してもよい。例えば、ユニット６１０および６２０は、情報を提供するためのディスプレイ回路機構(display  circuitry)６１７および６２７を備えてよく、その構成において、ディスプレイ回路機構６１７は、インタフェース(interface)６２５に送信されるように情報をインタフェース６１５に送信し、それにより、ディスプレイ回路機構６２７が該送信された情報を、例えば、ユニット６１０のディスプレイおよびユニット６２０のディスプレイで構成される拡張ディスプレイの一部分上に提供できるようにしてもよい。一例として、ユニット６１０および６２０は１または複数の構成要素に電力を供給する電力回路機構(power  circuitry)６１９および６２９を備えてよく、その構成において、電力回路機構６２９は、インタフェース６１５に送信されるように電力をインタフェース６２５に送信し、それにより、電力回路機構６１９がシステム６００の１または複数の構成要素に電力を供給できるようにしてもよい。
【００４０】
図７は、ユニット(unit)７１０および７２０を備えるシステム(system)７００の一例を示す。図示の通り、ユニット７１０および７２０は、インタフェース(interface)７１５および７２５を備え、これらインタフェースは作動可能に連結されて情報送信のためのインタフェースを構成してもよい。例えば、ユニット７１０および７２０は、情報を提供するためのディスプレイ回路機構(display  circuitry)７１７および７２７を備えてもよく、その構成において、ディスプレイ回路機構７１７は、インタフェース７２５に送信されるように情報をインタフェース７１５に送信し、それにより、ディスプレイ回路機構７２７が、該送信された情報を、例えば、ユニット７１０のディスプレイおよびユニット７２０のディスプレイで構成される拡張ディスプレイの一部分上に提供できるようにしてもよい。一例として、ユニット７１０および７２０は、任意選択により、１または複数の構成要素に電力を供給する電力回路機構を備え、その構成において、一方のユニットの電力回路機構は他方のユニットに電力を送信してもよい。一例として、そのような電力送信は、有線や無線の電力インタフェース（例えば、電磁波を受信できるコイルおよび受信した電磁波を使用可能なエネルギーや保存可能なエネルギーに変換する関連回路機構を想定されたい）を介してなされてもよい。
【００４１】
図７の例では、インタフェース７１５および７２５は、無線インタフェースであってもよい。一例として、そのようなインタフェースは、赤外線、Bluetooth（登録商標）、ＷｉＦｉ等のインタフェースであってよい。一例として、そのようなインタフェースは、一方向や双方向の情報送信（例えば、情報の送信および受信）が可能に構成されてよい。
【００４２】
図８は、第１のディスプレイに情報を提供する提供工程(render  block)８１４と、横並び(side-by-side)ディスプレイ（例えば該第１のディスプレイおよび第２のディスプレイで構成される）への移行を検出する検出工程(detection  block)８１８と、該横並びディスプレイに情報を提供する提供工程(render  block)８２２とを備える方法８１０の一例を示す。
【００４３】
一例として、あるユニットは加速度計を備えてもよく、別のユニットも加速度計を備えてもよい。そのような例では、該加速度計を介して差分が感知され、それにより、互いの相対位置に変化があったことが判定されてもよい。一例として、システムは、別のユニットに対するあるユニットの位置が感知されるような位置センサ（例えば、近接センサ、光センサ等）を備えてもよい。一例として、ユニットはアンテナを備えてよく、その構成において、例えば、アンテナが受信する信号は、該ユニットがシステム内にあるか否か、および該ユニットがシステムの別のユニットに対して特定の配置にあるか否かによって異なってもよい。一例として、機構はトリガを備えてよい。例えば、ポストが制止面に対し近づく方向および離れる方向に動いてよく、その構成において、該ポストと該制止面の間の接触が、システムがある特定の配置（例えば隣接配置または積層配置）にあるか否かに基づき回路機構を作動させるきっかけとなる。
【００４４】
一例として、方法は、プロセッサと、該プロセッサに作動可能に連結されたメモリと、該プロセッサに作動可能に連結された第１の平面状ディスプレイと、第２の平面状ディスプレイと、該第１の平面状ディスプレイおよび該第２の平面状ディスプレイを積層配置および隣接配置の間で選択的に移行させる機構であって、該プロセッサに作動可能に連結された平面状拡張ディスプレイが該隣接配置により構成される機構とを備えるシステムの、該第１の平面状ディスプレイに情報を提供する工程と、該積層配置から該隣接配置への移行が検知されると、該第１の平面状ディスプレイおよび該第２の平面状ディスプレイにより構成される該平面状拡張ディスプレイに情報を提供する工程とを備えることができる。一例として、そのような方法は、無線インタフェースを介して該第２の平面状ディスプレイに情報を送信する（例えば、それにより情報を提供する）工程をさらに備えてもよい。一例として、方法は、有線インタフェースを介して該第２の平面状ディスプレイに情報を送信する（例えば、それにより情報を提供する）工程を備えてもよい。一例として、方法は、平面状拡張ディスプレイ（例えば、第１の平面状ディスプレイおよび第２の平面状ディスプレイで構成される）を介して、タッチ入力を受け取る工程を備えてもよい。
【００４５】
システムは、プロセッサと、該プロセッサに作動可能に連結されたメモリと、該プロセッサに作動可能に連結された第１の平面状ディスプレイを有する第１の表示部と、第２の平面状ディスプレイを有する第２の表示部と、該第１の平面状ディスプレイおよび該第２の平面状ディスプレイを積層配置および隣接配置の間で選択的に移行させる機構であって、該プロセッサに作動可能に連結された平面状拡張ディスプレイが該隣接配置により構成される機構とを備えることができる。
【００４６】
一例として、システムはインタフェース（例えば、第１のユニットおよび第２のユニットそれぞれのコネクタまたはインタフェースで構成される）を備えることができる。一例として、表示部はインタフェースを備える。一例として、インタフェースは有線インタフェースであってもよい。機構は、該インタフェースの係合および係合解除を（例えば位置決め部材を介して）選択的に行ってもよい。一例として、インタフェースは無線インタフェースであってもよい。一例として、機構は、無線インタフェースの係合および係合解除を、例えば、近接感知（例えば信号強度）を介して、機械的トリガ（例えば機械スイッチ）を介して、電気スイッチを介して選択的に行ってよい。
【００４７】
一例として、インタフェースは、例えば、情報の受信や送信のために、プロセッサに作動可能に連結されてもよい。この構成において、例えば、そのような情報は、（例えば、隣接配置にある）第１および第２の平面状ディスプレイで構成される拡張ディスプレイに提供されてよい。
【００４８】
一例として、ユニットは、ディスプレイ回路機構を備えてもよく、ディスプレイ回路機構は、グラフィックスプロセッサ（例えばＧＰＵ（Graphics  Processing  Unit））を備えてもよい。一例として、あるユニットがＧＰＵを備えてもよく、別のユニットがＣＰＵ（Central  Processing  Unit）および、任意選択により、ＧＰＵを備えてもよい。一例として、第１のユニットおよび第２のユニットのそれぞれがＧＰＵを備えてもよい。一例として、システムは、無線ディスプレイシステムであってもよく、例えば、該システムの１または複数のディスプレイに提供するために有線インタフェースまたは無線インタフェースを介して情報を受信してもよい。
【００４９】
一例として、機構は、レールおよびレールガイド（例えばガイド）を備えてもよい。そのような例では、機構は、表示部をレールに作動可能に連結するピボットアームを備えてもよい。一例として、システムはレールカバーを備えてもよい。一例として、システムは、少なくとも２個のレールおよび少なくとも２個のレールガイドを備えてもよい。
【００５０】
一例として、システムは、第１の表示部と第１の平面表示部とを作動可能に連結する、少なくとも１本のピボットアームを備えてもよい。
【００５１】
一例として、システムは、関連のタッチ回路機構を有する第１の平面状ディスプレイおよび関連のタッチ回路機構を有する第２の平面状ディスプレイを備えてもよい。そのような例では、ディスプレイの隣接配置により拡張ディスプレイを構成してもよく、該拡張ディスプレイは、そのタッチを介したコマンドの入力等のためのタッチ回路機構に関連付けられてもよい。一例として、タッチ回路機構は、例えば、電磁デジタイザ用の回路機構等の「ペン」回路機構を備えてもよい。
【００５２】
一例として、組立体は、補助的平面状ディスプレイを備えるユニットと、機構とを備えることができ、機構は、プロセッサと、該プロセッサに作動可能に連結された主平面状ディスプレイとを備える機器に該ユニットを連結し、該補助的平面状ディスプレイおよび該主平面状ディスプレイを積層配置と隣接配置の間で移行させる機構であって、該プロセッサに作動可能に連結された平面状拡張ディスプレイが該隣接配置により構成される。一例として、該ユニットは、インタフェースを備えてもよく、該インタフェースは有線または無線インタフェースであってもよい。一例として、システムは、有線インタフェースおよび無線インタフェースを備えてもよい。一例として、機構は、１または複数のインタフェースそれぞれの係合および係合解除を選択的に行ってもよい。一例として、機構は、レールおよびレールガイドを備えてもよい。一例として、組立体は、ユニットを機器に作動可能に連結する、少なくとも１つのピボットアームを備えてもよい。
【００５３】
一例として、システムは、プロセッサと、該プロセッサに作動可能に連結されたメモリと、該プロセッサに作動可能に連結された第１の平面状ディスプレイを含む第１の表示部と、第２の平面状ディスプレイを含む第２の表示部と、該第１の表示部に作動可能に連結されたレールと、該第２の表示部をレールに作動可能に連結するピボットアームとを備えることができる。一例として、該レールおよび該ピボットアームは、該第１の平面状ディスプレイおよび該第２の平面状ディスプレイを積層配置と隣接配置の間で移行させるようにして、該プロセッサに作動可能に連結された平面状拡張ディスプレイが該隣接配置により構成されるようにしてもよい。
【００５４】
一例として、システムは、例えば、長さと幅によって定義されるフォームファクタを持つユニットを備えてもよい。例えば、約４インチから約６インチの範囲の長さおよび幅の寸法を含むフォームファクタを想定されたい。一例として、フォームファクタは、例えば、シャツのポケット、ズボンのポケット、財布等のポケットサイズにある程度は基づいて選択されてもよい。一例として、システムは、２つのユニットを備えてもよく、該２つのユニットは、例えば、約４インチから約６インチの範囲の長さおよび幅の寸法を有してもよい。そのような例では、該２つのユニットは、隣接配置に位置決めされて、より大きな寸法の（例えば、長さが拡張された、または幅が拡張された）拡張ディスプレイを構成してもよい。一例として、隣接配置において、該２つのユニットは、その１つのディスプレイの約２倍の面積の拡張ディスプレイを構成してもよい。
【００５５】
一例として、システムは、略同寸法（例えば、長さおよび幅や高さ）の２つのユニット（例えば、またはそれより多くのユニット）を備えてもよい。一例として、システムは、長さおよび幅の寸法が、約１１５ｍｍ×約５７ｍｍである（例えば、さらに任意選択により、約６ｍｍの高さ寸法である）２つのユニットを備えてもよい。そのような例では、それらユニットが隣接配置になっている場合、拡張ディスプレイは、長さおよび幅の寸法が、約１１５ｍｍ×約１１５ｍｍとなる（例えば、さらに任意選択により、約６ｍｍの高さ寸法となる）ように構成されてもよい。一例として、１つのユニットを、機構を介して別のユニットに対して移動させて、拡張ディスプレイをいわゆるタブレットモードに構成してもよく、縮小ディスプレイとなる積層配置に移行させて、いわゆる電話モード（例えば、各ユニットの高さにより決まる高さ、すなわち厚さとなる）にしてもよい。一例として、テーブルモードでは、拡張ディスプレイは第１のユニットの第１のディスプレイおよび第２のユニットの第２のディスプレイで構成され、この構成において、第１および第２のディスプレイは、共通の水平平面内に位置合わせされるようにしてもよい（例えば、それにより、任意選択により、単一の、境界のないディスプレイを得ることができるようになる）。一例として、隣接配置では、２つのディスプレイは、それぞれの縁に沿って互いに隣接して位置決めされてよく、それらの縁は、ほぼ同寸法であってよい（例えば、各ディスプレイの長さまたは幅の寸法）。
【００５６】
本開示に記載の通り、種々の動作および工程等は、１または複数のコンピュータ可読記憶媒体に記憶される命令として実施されてもよい。例えば、１または複数のコンピュータ可読記憶媒体は、デバイスに命令を与えるコンピュータ実行可能（例えばプロセッサ実行可能）命令を保持できる。コンピュータ可読記憶媒体は、搬送波ではないコンピュータ可読記憶媒体であってもよい。
【００５７】
「回路」または「回路機構」という用語は、概要や、詳細な説明や、請求項において使用されている。当該技術分野で周知の通り、「回路機構」という用語は、利用可能なあらゆる水準の集積、例えば、互いに孤立した論理回路のレベルから、超大規模集積回路（Very-Large-Scale  Integrated  circuit：ＶＬＳＩ）のような最高水準の回路集積までを含む。また、１つの実施形態の機能を実行するようにプログラムされたプログラム可能論理構成要素だけでなく、そのような機能を実行するような命令でプログラムされた汎用目的または特殊目的のプロセッサも含む。そのような回路機構は、任意選択により、コンピュータ実行可能命令を保持する１または複数のコンピュータ可読媒体に依存してもよい。本開示に記載の通り、コンピュータ可読媒体は、記憶装置（例えば、メモリチップ、メモリカード、ストレージディスク等）であってよく、コンピュータ可読記憶媒体と呼ばれる。
【００５８】
回路または回路機構の様々な例を記載したが、図９は、例示的なコンピュータシステム(computer  system)９００の構成図を示す。システム９００は、レノボ社（米国ノースカロライナ州モリスヴィル）が販売するThinkCentre（登録商標）またはThinkPad（登録商標）シリーズのパーソナルコンピュータのようなディスクトップ型コンピュータシステム、またはレノボ社（米国ノースカロライナ州モリスヴィル）が販売するThinkStation（登録商標）のようなワークステーションコンピュータであってもよい。しかしながら、本開示の記載から明らかなように、サテライト、ベース、サーバ等のマシンが、システム９００のその他の機能または上記機能の一部のみを備えてもよい。一例として、図１および図３の機器のうちいずれかである機器が、システム９００の機能の少なくとも一部を備えてもよい。
【００５９】
図９に示すように、システム９００は、いわゆるチップセット(chip  set)９１０を含む。チップセットは、共働して機能するように設計された（例えば構成された）集積回路、すなわちチップの集合体のことである。チップセットは、通常は、単一の製品として販売される（例えば、Intel（登録商標）、AMD（登録商標）等のブランド名で販売されているチップセットを想定されたい）。
【００６０】
図９の例では、チップセット９１０は特定のアーキテクチャを有するが、そのアーキテクチャは、ブランドまたは製造者によってある程度異なってもよい。チップセット９１０のアーキテクチャは、例えば、直接管理インタフェースもしくはダイレクトメディアインタフェース（Direct  Media  Interface：ＤＭＩ）９４２、またはリンクコントローラ(link  controller)９４４を介して情報（例えば、データ、信号、コマンド等）を交換する、コア／メモリ制御グループ(core  and  memory  control  group)９２０と、Ｉ／Ｏコントローラハブ(I/O  controller  hub)９５０とを備える。図９の例では、ＤＭＩ９４２は、チップ間インタフェース（「ノースブリッジ」と「サウスブリッジ」の間のリンクと呼ばれることもある）である。
【００６１】
コア／メモリ制御グループ９２０は、前側バス（Front  Side  Bus：ＦＳＢ）９２４を介して情報を交換する、１または複数のプロセッサ(processor)９２２（例えばシングルコアまたはマルチコア）と、メモリコントローラハブ(memory  controller  hub)９２６とを備える。本開示に記載の通り、コア／メモリ制御グループ９２０の様々な構成要素は、例えば、従来の「ノースブリッジ」型アーキテクチャに取って代わるチップを形成するために、単一のプロセッサダイに集積されてもよい。
【００６２】
メモリコントローラハブ９２６はメモリ９４０と連動する。例えば、メモリコントローラハブ９２６は、ＤＤＲ  ＳＤＲＡＭ（Double  Data  Rate  Synchronous  Dynamic  Random-Access  Memory）（例えば、ＤＤＲ、ＤＤＲ２、ＤＤＲ３等）に対応してもよい。一般的に、メモリ９４０は、ランダムアクセスメモリ（Random-Access  Memory：ＲＡＭ）の一種であり、「システムメモリ」と呼ばれることが多い。
【００６３】
メモリコントローラハブ９２６はさらに、ＬＶＤＳ（Low-Voltage  Differential  Signaling）インタフェース９３２を備える。ＬＶＤＳインタフェース９３２は、ディスプレイ装置９９２（例えば、ブラウン管、フラットパネル、プロジェクタ等）をサポートするための、いわゆるＬＶＤＳディスプレイインタフェース（ＬＤＩ）であってもよい。区画９３８は、ＬＶＤＳインタフェース９３２を介してサポートされる可能性のある技術の数例を含む（例えば、シリアルデジタルビデオ、ＨＤＭＩ（登録商標）／ＤＶＩ、ディスプレイポート）。メモリコントローラハブ９２６は、さらに、例えばディスクリートグラフィクス９３６をサポートするための、１または複数のＰＣＩ（Peripheral  Component  Interconnect）−Ｅｘｐｒｅｓｓ規格（ＰＣＩ−Ｅ）インタフェース９３４を備える。ＰＣＩ−Ｅインタフェースを使用したディスクリートグラフィクスは、ＡＧＰ（Accelerated  Graphics  Port）に対応するための、選択可能な方法の一つである。例えば、メモリコントローラハブ９２６は、外付けのＰＣＩ−Ｅ準拠のグラフィックスカード用の、１６レーン（ｘ１６）のＰＣＩ−Ｅポートを備えてもよい。システムは、グラフィックスをサポートするためのＡＧＰまたはＰＣＩ−Ｅを備えてもよい。本開示に記載の通り、ディスプレイは、センサディスプレイ（例えば、スタイラスペン、指等を使用した入力を受け取るように構成される）であってもよい。本開示に記載の通り、センサディスプレイは、抵抗検出、光検出、または他の種類の検出に依存してもよい。
【００６４】
Ｉ／Ｏハブコントローラ９５０は、様々なインタフェースを備える。図９の例は、ＳＡＴＡインタフェース９５１と、１または複数のＰＣＩ−Ｅインタフェース９５２（任意選択により、１または複数のレガシーＰＣＩインタフェース）と、１または複数のＵＳＢインタフェース９５３と、ＬＡＮインタフェース９５４（より一般的は、ネットワークインタフェース）と、汎用Ｉ／Ｏ（General  Purpose  I/O：ＧＰＩＯ）インタフェース９５５と、ＬＰＣ（Low-Pin  Count）インタフェース９７０と、電力管理用インタフェース９６１と、クロック生成用インタフェース９６２と、オーディオ用インタフェース９６３（例えば、スピーカ９９４用）と、ＴＣＯ（Total  Cost  of  Operation）インタフェース９６４と、システム管理バス用インタフェース（例えば、マルチマスタシリアルコンピュータバス用インタフェース）９６５と、シリアル周辺機器フラッシュメモリコントローラ用インタフェース（ＳＰＩ（Serial  Peripheral  Interface）フラッシュ）９６６とを備え、ＳＰＩフラッシュ９６６は、図９の例では、ＢＩＯＳ９６８と、ブートコード(boot  code)９９０とを有する。ネットワーク接続部については、Ｉ／Ｏハブコントローラ９５０は、ＰＣＩ−Ｅインタフェースポートにより多重化された統合ギガビットイーサネット（登録商標）用コントローラ回線を備えてもよい。他のネットワーク関連機能は、ＰＣＩ−Ｅインタフェースとは独立に動作してもよい。
【００６５】
Ｉ／Ｏハブコントローラ９５０の上記インタフェースは、様々な機器やネットワーク等との通信を可能にする。例えば、ＳＡＴＡインタフェース９５１は、ＨＤＤ（Hard  Disk  Drive）、ＳＤＤ、または両方の組合せ等からなる１または複数のドライブ９８０上で、情報の読み出し、書き込み、または読み出しおよび書き込みを可能にする。Ｉ／Ｏハブコントローラ９５０は、さらに、１または複数のドライブ９８０をサポートするＡＨＣＩ（Advanced  Host  Controller  Interface）を備えてもよい。ＰＣＩ−Ｅインタフェース９５２は、機器やネットワーク等に対する無線接続部９８２を可能にする。ＵＳＢインタフェース９５３は、キーボード（ＫＢ）、１または複数の光学センサ、マウスおよびその他の装置（例えば、マイクロフォン、カメラ、電話、記憶装置、メディア再生装置等）である入力装置９８４を提供する。１または複数の他種のセンサは、任意選択により、ＵＳＢインタフェース９５３またはその他のインタフェース（例えばＩ２Ｃ等）に依存してもよい。マイクロフォンは、図９のシステム９００は、音声（例えば、ユーザの声や環境音等）の受付のために適切に構成されたハードウェア（例えばオーディオカード）を備えてもよい。
【００６６】
図９の例では、ＬＰＣインタフェース９７０は、１または複数のＡＳＩＣ（Application  Specific  Integrated  Circuit）９７１、ＴＰＭ（Trusted  Platform  Module）９７２、スーパーＩ／Ｏ９７３、ファームウェアハブ９７４、ＢＩＯＳサポート９７５に加え、ＲＯＭ９７７、フラッシュ９７８、および不揮発性ＲＡＭ（ＮＶＲＡＭ）９７９等の様々な種類のメモリ９７６の使用を可能にする。ＴＰＭ９７２については、このモジュールは、ソフトウェアおよびハードウェア機器の認証に使用することができるチップの形式にしてもよい。例えば、ＴＰＭは、プラットフォーム認証を行うことができてもよく、アクセスしようとしているシステムが想定されていたシステムであることを確認するのに使用されてもよい。
【００６７】
システム９００は、電源が投入されると、ＳＰＩフラッシュ９６６内に格納されているＢＩＯＳ９６８用のブートコード９９０を実行してもよく、その後、（例えばシステムメモリ９４０に格納されている）１または複数のオペレーティングシステムおよびアプリケーションソフトの制御下でデータを処理する。オペレーティングシステムは、様々な場所のうちのいずれかに格納され、例えば、ＢＩＯＳ９６８の命令に従ってアクセスされてもよい。ここでも、本開示に記載の通り、サテライト、ベース、サーバ等のマシンが、図９のシステム９００に示す機能の一部、または付加された機能を備えてもよい。さらに、図９のシステム９００は、任意選択により携帯電話回路機構(cell  phone  circuitry)９９５を備える場合を示し、携帯電話回路機構９９５は、システム９００のその他の１または複数の機能と協調して作動するようにしたＧＳＭ（登録商標）タイプ、ＣＤＭＡタイプ等の回路機構を備えてもよい。ほかに図９に図示されているのはバッテリ回路機構(battery  circuitry)９９７であり、これは、１個または複数のバッテリ、電力等に関連する機能（例えば、任意選択により、システム９００の１または複数の構成要素に命令を与えるようにしたもの）であってよい。一例として、システム管理バス（System  Management  Bus：ＳＭＢｕｓ）は、例えば、ＬＰＣ（例えばＬＰＣインタフェース９７０を参照）を介して、またはＩ２Ｃインタフェース（例えばＳＭ／Ｉ２Ｃインタフェース９６５を参照）を介して作動可能であってもよい。
（結び）
【００６８】
以上、方法、機器、システム等の例を、構造的特徴や方法上の動作に関する記載特有の表現を用いて説明したが、添付の請求項に規定する主題は、必ずしも、説明された具体的な特徴または動作に限定されないことが理解されるべきである。むしろ、そのような具体的な特徴および動作は、特許請求の範囲に記載の方法、機器、システム等を実施する形態の例として開示されている。
【符号の説明】
【００６９】
１００、２００、５００、７００  システム
１１０  第１の表示部
１１１、１２１  プロセッサ
１１２、１２２  平面状ディスプレイ
１１３、１２３  メモリ
１２０  第２の表示部
１４０  機構
１９０  平面状拡張ディスプレイ
２１１、２２１、５０１  プロセッサ
２１３、２２３、５０３  メモリ
５０６  マイク
５０７  カメラ
５０８  バイブレータ
５０９  スピーカ
６１７、６２７  ディスプレイ回路機構
６１９、６２９  電力回路機構
７１７、７２７  ディスプレイ回路機構
【図１】
0006038864.tif 000002
【図２】
0006038864.tif 000003
【図３】
0006038864.tif 000004
【図４】
0006038864.tif 000005
【図５】
0006038864.tif 000006
【図６】
0006038864.tif 000007
【図７】
0006038864.tif 000008
【図８】
0006038864.tif 000009
【図９】
0006038864.tif 000010